【手続補正書】
【提出日】平成28年5月11日(2016.5.11)
【手続補正１】
【補正対象書類名】特許請求の範囲
【補正対象項目名】全文
【補正方法】変更
【補正の内容】
【特許請求の範囲】
【請求項１】
検出器モジュール・アセンブリと、
該検出器モジュール・アセンブリに結合されている監視レンズと
を備えた線源側放射線検出器（ＳＳＲＤ）であって、
前記検出器モジュール・アセンブリ及び前記監視レンズはＸ線源の近傍に配置され、前記監視レンズは、前記Ｘ線源からのＸ線を受け入れるように構成されている複数のスリットを含んでおり、前記検出器モジュール・アセンブリは、前記スリットを透過した前記Ｘ線を検出して前記Ｘ線源の焦点スポットの位置を追尾するための情報を生成するように構成されており、前記複数のスリットは、第一の方向に構成された第一のスリット対と、異なる第二の方向に構成された第二のスリット対とを含んでいる、線源側放射線検出器（ＳＳＲＤ）。
【請求項２】
前記第一のスリット対は、第一の方向での前記焦点スポットの移動を示す情報を生成し、なおかつ前記第一のスリット対は前記第二のスリット対と垂直であり、
前記第二のスリット対は、第二の方向での前記焦点スポットの移動を示す情報を生成する、請求項１に記載の線源側放射線検出器（ＳＳＲＤ）。
【請求項３】
前記監視レンズは、前記複数のスリットの間に配設されて前記Ｘ線源からのＸ線を受け入れるように構成されている少なくとも一つの開口をさらに含んでおり、前記検出器モジュール・アセンブリは、前記開口を透過した前記Ｘ線を検出して前記焦点スポットの強度を示す情報を生成するように構成されている、請求項１に記載の線源側放射線検出器（ＳＳＲＤ）。
【請求項４】
前記監視レンズは三つの開口をさらに含んでおり、該三つの開口の各々に異なるフィルタが設置され、前記三つの開口は、前記Ｘ線源からのＸ線を受け入れるように構成されており、前記検出器モジュール・アセンブリは、第一の開口からの出力を第二の開口からの出力に対して比較して前記Ｘ線の出力を示す情報を生成するように構成されている、請求項１に記載の線源側放射線検出器（ＳＳＲＤ）。
【請求項５】
前記焦点スポット情報を用いて、前記物体について前記監視レンズとは反対側に配置されている第二の撮像検出器から取得されるデータを正規化する請求項１に記載の線源側放射線検出器（ＳＳＲＤ）。
【請求項６】
検出器モジュール・アセンブリと、
該検出器モジュール・アセンブリに結合されている監視レンズと
を備えた線源側放射線検出器（ＳＳＲＤ）であって、
前記検出器モジュール・アセンブリ及び前記監視レンズはＸ線源の近傍に配置され、前記監視レンズは、前記Ｘ線源からのＸ線を受け入れるように構成されている複数のスリットを含んでおり、前記検出器モジュール・アセンブリは、前記スリットを透過した前記Ｘ線を検出して前記Ｘ線源の焦点スポットの位置を追尾するための情報を生成するように構成されており、
前記監視レンズは複数の開口をさらに含んでおり、該開口の各々にフィルタが設置され、前記複数の開口は、前記Ｘ線源からのＸ線を受け入れるように構成されており、前記検出器モジュール・アセンブリは、前記複数の開口を透過した前記Ｘ線を検出して前記焦点スポットの強度を示す情報を生成するように構成されている、線源側放射線検出器（ＳＳＲＤ）。
【請求項７】
検出器モジュール・アセンブリと、
該検出器モジュール・アセンブリに結合されている監視レンズと
を備えた線源側放射線検出器（ＳＳＲＤ）であって、
前記検出器モジュール・アセンブリ及び前記監視レンズはＸ線源の近傍に配置され、前記監視レンズは、前記Ｘ線源からのＸ線を受け入れるように構成されている複数のスリットを含んでおり、前記検出器モジュール・アセンブリは、前記スリットを透過した前記Ｘ線を検出して前記Ｘ線源の焦点スポットの位置を追尾するための情報を生成するように構成されており、
前記監視レンズは複数の開口をさらに含んでおり、該開口の各々に異なるフィルタが設置され、前記複数の開口は、前記Ｘ線源からのＸ線を受け入れるように構成されており、前記検出器モジュール・アセンブリは、前記複数の開口を透過した前記Ｘ線を検出して前記Ｘ線の出力を示す情報を生成するように構成されている、線源側放射線検出器（ＳＳＲＤ）。
【請求項８】
物体を撮像するイメージング・システムであって、
前記物体へ向けてエネルギを放出するように構成されているＸ線源と、
前記物体の第一の側に配置された線源側放射線検出器（ＳＳＲＤ）と、
前記物体の反対側の第二の側に配置された撮像検出器と
を備えており、前記線源側放射線検出器（ＳＳＲＤ）は、前記撮像検出器により生成される投影データを正規化するのに用いられるデータを出力し、
前記線源側放射線検出器（ＳＳＲＤ）は、
検出器モジュール・アセンブリと、
該検出器モジュール・アセンブリに結合されている監視レンズと
を含んでおり、前記監視レンズは、前記Ｘ線源からのＸ線を受け入れるように構成されている複数のスリットを含んでおり、前記検出器モジュール・アセンブリは、前記スリットを透過した前記Ｘ線を検出して前記Ｘ線源の焦点スポットの位置を追尾するための情報を生成するように構成されており、
前記複数のスリットは、
第一の方向に構成された第一のスリット対と、
異なる第二の方向に構成された第二のスリット対と
を含んでいる、イメージング・システム。
【請求項９】
前記第一のスリット対は、第一の方向での前記焦点スポットの移動を示す情報を生成し、なおかつ前記第一のスリット対は前記第二のスリット対と垂直であり、
前記第二のスリット対は、第二の方向での前記焦点スポットの移動を示す情報を生成する、請求項８に記載のイメージング・システム。
【請求項１０】
前記監視レンズは、前記複数のスリットの間に配設されて前記Ｘ線源からのＸ線を受け入れるように構成されている少なくとも一つの開口をさらに含んでおり、前記検出器モジュール・アセンブリは、前記開口を透過した前記Ｘ線を検出して前記焦点スポットの強度を示す情報を生成するように構成されている、請求項８に記載のイメージング・システム。
【請求項１１】
前記監視レンズは三つの開口をさらに含んでおり、該三つの開口の各々に異なるフィルタが設置され、前記三つの開口は、前記Ｘ線源からのＸ線を受け入れるように構成されており、前記検出器モジュール・アセンブリは、第一の開口からの出力を第二の開口からの出力に対して比較して前記Ｘ線の出力を示す情報を生成するように構成されている、請求項８に記載のイメージング・システム。
【請求項１２】
物体を撮像するイメージング・システムであって、
前記物体へ向けてエネルギを放出するように構成されているＸ線源と、
前記物体の第一の側に配置された線源側放射線検出器（ＳＳＲＤ）と、
前記物体の反対側の第二の側に配置された撮像検出器と
を備えており、前記線源側放射線検出器（ＳＳＲＤ）は、前記撮像検出器により生成される投影データを正規化するのに用いられるデータを出力し、
前記線源側放射線検出器（ＳＳＲＤ）は、
検出器モジュール・アセンブリと、
該検出器モジュール・アセンブリに結合されている監視レンズと
を含んでおり、前記監視レンズは、前記Ｘ線源からのＸ線を受け入れるように構成されている複数のスリットを含んでおり、前記検出器モジュール・アセンブリは、前記スリットを透過した前記Ｘ線を検出して前記Ｘ線源の焦点スポットの位置を追尾するための情報を生成するように構成されており、
前記監視レンズは複数の開口をさらに含んでおり、該開口の各々にフィルタが設置され、前記複数の開口は、前記Ｘ線源からのＸ線を受け入れるように構成されており、前記検出器モジュール・アセンブリは、前記複数の開口を透過した前記Ｘ線を検出して前記焦点スポットの強度を示す情報を生成するように構成されている、イメージング・システム。
【請求項１３】
物体を撮像するイメージング・システムであって、
前記物体へ向けてエネルギを放出するように構成されているＸ線源と、
前記物体の第一の側に配置された線源側放射線検出器（ＳＳＲＤ）と、
前記物体の反対側の第二の側に配置された撮像検出器と
を備えており、前記線源側放射線検出器（ＳＳＲＤ）は、前記撮像検出器により生成される投影データを正規化するのに用いられるデータを出力し、
前記線源側放射線検出器（ＳＳＲＤ）は、
検出器モジュール・アセンブリと、
該検出器モジュール・アセンブリに結合されている監視レンズと
を含んでおり、前記監視レンズは、前記Ｘ線源からのＸ線を受け入れるように構成されている複数のスリットを含んでおり、前記検出器モジュール・アセンブリは、前記スリットを透過した前記Ｘ線を検出して前記Ｘ線源の焦点スポットの位置を追尾するための情報を生成するように構成されており、
前記監視レンズは複数の開口をさらに含んでおり、該開口の各々に異なるフィルタが設置され、前記複数の開口は、前記Ｘ線源からのＸ線を受け入れるように構成されており、前記検出器モジュール・アセンブリは、前記複数の開口を透過した前記Ｘ線を検出して前記Ｘ線の出力を示す情報を生成するように構成されている、イメージング・システム。
【請求項１４】
撮像データを補正する方法であって、
被撮像体の第一の側に配設された線源側放射線検出器（ＳＳＲＤ）から情報を受け取るステップと、
前記被撮像体の反対側の第二の側に配置された撮像検出器から投影データセットを受け取るステップと、
前記線源側放射線検出器（ＳＳＲＤ）から受け取った前記情報を用いて前記投影データセットを補正するステップと
を備え、
前記線源側放射線検出器（ＳＳＲＤ）は、第一の方向に構成された第一のスリット対と、異なる第二の方向に構成された第二のスリット対とを含んでおり、
前記第一のスリット対を用いて第一の方向での前記焦点スポットの移動を示す情報を生成するステップと、
前記第二のスリット対を用いて第二の方向での前記焦点スポットの移動を示す情報を生成するステップと、
前記第一及び第二の方向での前記焦点スポット移動を示す前記情報を用いて前記投影データセットを補正するステップと
をさらに含んでいる、方法。
【請求項１５】
前記線源側放射線検出器（ＳＳＲＤ）は、前記第一のスリット対と前記第二のスリット対との間に配設された少なくとも一つの開口をさらに含んでおり、該少なくとも一つの開口を用いて前記焦点スポットの強度を示す情報を生成するステップを含んでいる請求項１４に記載の方法。
【請求項１６】
前記線源側放射線検出器（ＳＳＲＤ）は複数の開口を含んでおり、該開口の各々に異なるフィルタが設置され、前記複数のフィルタ付き開口から取得された情報を用いて前記Ｘ線源の出力を示す情報を生成するステップをさらに含んでいる請求項１４に記載の方法。
【請求項１７】
検出器モジュール・アセンブリと、
該検出器モジュール・アセンブリに結合された監視レンズと
を備えた参照追尾用放射線検出器であって、前記検出器モジュール・アセンブリ及び前記監視レンズは、患者透過後位置の撮像検出器の近傍に配置され、前記監視レンズは、Ｘ線源からのＸ線を受け入れるように構成されている複数のスリットを含んでおり、前記検出器モジュール・アセンブリは、前記スリットを透過した前記Ｘ線を検出して前記Ｘ線源の焦点スポットの位置を追尾するための情報を生成するように構成されており、前記複数のスリットは、第一の方向に構成された第一のスリット対と、異なる第二の方向に構成された第二のスリット対とを含んでいる、参照追尾用放射線検出器。